(57)【要約】【課題】縦型ブラインドの羽根板構造の提供。【解決手段】縦型ブラインドの羽根板構造は、美観を高める構造で、挟持部品、羽根板本体、外覆装飾布及び錘部品から構成される。この外覆装飾布上には複数の帯状織布が羽根板本体の少なくとも一側面を覆っており、重畳立体感を具え、美観を高めるだけでなく、使用適宜に長さを調節する。【選択図】図３
0003132873.tif 000002
【実用新案登録請求の範囲】
【請求項１】
挟持部品、羽根板本体、外覆装飾布及び錘部品から構成された縦型ブラインドの羽根板構造において、
羽根板本体の第一端及び外覆装飾布の挟持部を挟む挟持部品と、
細長形状体で、その第二端は錘片と連結する羽根板本体と、
編織布体の外側を羽根板本体の少なくとも一側面に覆い、それは複数の帯状布から構成され、連結部品と羽根板本体を固定する外覆装飾布と、
羽根板本体の第二端に連結する錘部品から構成されることを特徴とする縦型ブラインドの羽根板構造。
【請求項２】
請求項１記載の縦型ブラインドの羽根板構造において、前記外覆装飾布の連結部品は、挟持口を具えることを特徴とする縦型ブラインドの羽根板構造。
【請求項３】
請求項１記載の縦型ブラインドの羽根板構造において、前記外覆装飾布の連結部品は、実布区両側に設置する縫い線とすることを特徴とする縦型ブラインドの羽根板構造。
【請求項４】
請求項１記載の縦型ブラインドの羽根板構造において、前記外覆装飾布の連結部品は、固定リングとすることを特徴とする縦型ブラインドの羽根板構造。
【請求項５】
請求項１記載の縦型ブラインドの羽根板構造において、前記外覆装飾布の連結部品は、両面テープとすることを特徴とする縦型ブラインドの羽根板構造。
【請求項６】
請求項１記載の縦型ブラインドの羽根板構造において、前記外覆装飾布の連結部品は、オスボタン及びメスボタンを結合する組合せとすることを特徴とする縦型ブラインドの羽根板構造。
【請求項７】
請求項１記載の縦型ブラインドの羽根板構造において、前記錘片は、上縁に挟持槽を具え、そこに羽根板本体の第二端を入れ、差込条を差し込んで固定することを特徴とする縦型ブラインドの羽根板構造。
【請求項８】
請求項１記載の縦型ブラインドの羽根板構造において、前記外覆装飾布は、複数段の実布区及び複数段の帯状布を隙間に排列して構成することを特徴とする縦型ブラインドの羽根板構造。
【考案の詳細な説明】
【技術分野】
【０００１】
本考案は、縦型ブラインドの羽根板（slat）構造に関するもので、美観を具え、且つ重畳で立体感を具え、更に使用者の需要に依って長さを切って使用できるものである。
【背景技術】
【０００２】
図１は、今日市場で通常見かける縦型ブラインド構造で、羽根板１１上、下両端には挟持片１１１を入れた第一カバー体１１２、及び錘片１１３を入れた第二カバー体１１４をミシン縫いし、複数の羽根板１１により、ブラインドが構成される。しかしながら、この羽根板１１の外観は、地味で且つ彩りに欠ける。また図２に示す縦型羽根板１２の構造は、主にプラスチック製の羽根板本体１２１の両側に各々挟持槽を１２３凹設し、異なる色の内側羽根板１２２を設置し、表裏が異なる色の羽根板１２を形成する。
【０００３】
公知の羽根板第一、第二カバー体１１２、１１４をミシン縫いする需要があり、生産において不便であり、且つこの第一、第二カバー体１１２、１１４のミシン縫いは、使用者が窓の長さに測ってオーダーしなければならないので時間もかかり、且つコストも高くなる。公知の単一形体及び色彩は、立体感、重畳感等の美観に欠けるため、製品の高級感を高めることが困難である。
【考案の開示】
【考案が解決しようとする課題】
【０００４】
本考案の縦型ブラインドの羽根板構造は、美しく、且つ重畳感、立体感を具えた構造で、使用者の需要に応じて羽根板の長さを自分で調節でき、使用価値を高めるという利点がある。
【０００５】
本考案の縦型ブラインドの羽根板構造は、挟持部品、羽根板本体、外覆装飾布及び錘部品から構成される。外覆装飾布上の複数の細長帯で羽根板本体の少なくとも一側面を覆い、重畳立体感を具えたブランドをで、美しく且つ使用状況によって羽根板を切って長さを調節し、使用価値を高める。
上述の本考案の外覆装飾布は、複数段の実布区及び複数段の細長状織帯が間隔を開けて排列構成する。
【課題を解決するための手段】
【０００６】
請求項１の考案は、挟持部品、羽根板本体、外覆装飾布及び錘部品から構成された縦型ブラインドの羽根板構造において、
羽根板本体の第一端及び外覆装飾布の挟持部を挟む挟持部品と、
細長形状体で、その第二端は錘片と連結する羽根板本体と、
編織布体の外側を羽根板本体の少なくとも一側面に覆い、それは複数の帯状布から構成され、連結部品と羽根板本体を固定する外覆装飾布と、
羽根板本体の第二端に連結する錘部品から構成されることを特徴とする縦型ブラインドの羽根板構造としている。
請求項２の考案は、請求項１記載の縦型ブラインドの羽根板構造において、前記外覆装飾布の連結部品は挟持口を具えることを特徴とする縦型ブラインドの羽根板構造としている。
請求項３の考案は、請求項１記載の縦型ブラインドの羽根板構造において、前記外覆装飾布の連結部品は、実布区両側に設置する縫い線とすることを特徴とする縦型ブラインドの羽根板構造としている。
請求項４の考案は、請求項１記載の縦型ブラインドの羽根板構造において、前記外覆装飾布の連結部品は、固定リングとすることを特徴とする縦型ブラインドの羽根板構造としている。
請求項５の考案は、請求項１記載の縦型ブラインドの羽根板構造において、前記外覆装飾布の連結部品は、両面テープとすることを特徴とする縦型ブラインドの羽根板構造としている。
請求項６の考案は、請求項１記載の縦型ブラインドの羽根板構造において、前記外覆装飾布の連結部品は、オスボタン及びメスボタンを結合する組合せとすることを特徴とする縦型ブラインドの羽根板構造としている。
請求項７の考案は、請求項１記載の縦型ブラインドの羽根板構造において、前記錘片は、上縁に挟持槽を具え、そこに羽根板本体の第二端を入れ、差込条を差し込んで固定することを特徴とする縦型ブラインドの羽根板構造としている。
請求項８の考案は、請求項１記載の縦型ブラインドの羽根板構造において、前記外覆装飾布は、複数段の実布区及び複数段の帯状布を隙間に排列して構成することを特徴とする縦型ブラインドの羽根板構造としている。
【考案の効果】
【０００７】
本考案は異なる使用状況によって、使用者が自ら長さを切って窓の長さにあわせることができ、且つ美観と重畳感を具えた実用的なものである。
【考案を実施するための最良の形態】
【０００８】
図３，４，５に示すとおり、本考案の縦型ブラインドの羽根板構造は、挟持部品２、羽根板本体３、外覆装飾布４及び錘部品５から構成する。
この挟持部品２は、羽根板本体３の第一端３１及び外覆装飾布４の挟持部４０を挟み、その上縁は掛合孔２１を具え、下縁は挟持槽２２を具えて羽根板本体３の第一端３１、外覆装飾布４の挟持部４０を差し入れ、更に差込条２３を差し込んで固定する。
この羽根板３は、長方形体で、その下縁の第二端３２１は錘部品５に連結し、それを上向きに折り返し、その内側両面端縁に粘着層Ａを貼り付け、下方に差込孔３２を形成する。
外覆装飾布４は、織布体で、その幅は羽根板本体３とほぼ等しく、羽根板本体３の少なくとも一側面３０外を覆う。この外覆装飾布４は複数段の実布区４１及び複数段の細長状織帯４２が間隔を開けて配列しており、連結部品４４で羽根板本体３と固定し、且つ実布区４１は装飾図を設置する。錘部品５は、羽根板本体３の第二端３２１の差込孔３２内に設置する。
【０００９】
上述の部品を組み立てる時、この羽根板本体３の第一端３１及び外覆装飾布４の挟持部４０を挟持部品２の挟持槽２２に挟み、差込条２３を差し込んで固定する。また外覆装飾布４は羽根板本体３の少なくとも一側面３０を覆う。使用者は窓の長さに合わせ、この羽根板本体３及び外覆装飾布４２の長さを切り、ちょうどよい長さにする。切った後、この羽根板本体３の第二端を上向きに折り曲げ、内側面端縁に粘着層Ａを貼り、下方に差込孔３２を形成する。この差込孔３２に錘部品５を入れ、チェーン６を錘部品５の側面孔５１に通して、ブラインドの組み立てを完成する（図５参照）。本考案は立体、重畳感を具え、また使用者の需要に応じて長さを切って調節する。
【００１０】
上述の本考案は外覆装飾布４が勝手に外れてしまうのを防止している。この実布区４１の位置に連結部品４４を設置し、外覆装飾布４を羽根板本体３と固定する。また連結部品４４は挟持口４４１を具え、その挟持口４４１両内側縁には一ギア列４４２を設置し、外覆装飾布４及び羽根板本体を噛み合せて固定する（図６参照）。
【００１１】
上述の本考案の連結部品は、外覆装飾布４の実布区４１側縁に設置する縫い線４５（図７参照）で、固定構造を形成する。
【００１２】
また上述の本考案の連結部品は、外覆装飾布４の実布区４１外周に設置する固定リング４６で（図８参照）、固定構造を形成する。
【００１３】
上述の本考案の連結部品は、外覆装飾布４の実布区４１内側面に設置する両面テープ４７で、羽根板本体３の一側面３０に粘着して固定する（図９参照）。
【００１４】
上述の本考案の連結部品は、オスボタン４８１とメスボタン４８２の組み合わせで、オス、メスボタン４８１、４８２の結合で外覆装飾布４の実布区４１と羽根板本体３の外側を結合する（図１０参照）。
【００１５】
上述の本考案の錘部品は、上縁に挟持槽７２を具えた錘部品７で、この挟持槽７２で羽根板本体３の第二端３２１を挟み、差込条７１を入れて固定する（図１１、１２参照）。
【図面の簡単な説明】
【００１６】
【図１】公知の縦型ブラインドの羽根板の立体図である。
【図２】公知の縦型ブラインドの羽根板断面概略図である。
【図３】本考案の羽根板立体分解図である。
【図４】本考案の断面概略図である。
【図５】本考案の実施例概略図である。
【図６】本考案の連結部品実施例（一）である。
【図７】本考案の連結部品実施例（二）である。
【図８】本考案の連結部品実施例（三）である。
【図９】本考案の連結部品実施例（四）である。
【図１０】本考案の連結部品実施例（五）である。
【図１１】本考案の錘片の実施例概略図である。
【図１２】本考案の錘片の実施例断面図である。
【符号の説明】
【００１７】
１１    羽根板
１１１  挟持片
１１２  第一カバー体
１１３  錘片
１１４  第二カバー体
１２    羽根板
１２１  羽根板本体
１２２  内側羽根板
１２３  挟持槽
２      挟持部品
２１    掛合孔
２２    挟持槽
２３    差込条
３      羽根板本体
３０    側面
３１    第一端
３２    差込孔
３２１  第二端
４      外覆装飾布
４０    挟持部
４１    実布区
４２    細長状織帯
４４    連結部品
４４１  挟持口
４４２  ギア列
４５    縫い線
４６    固定リング
４７    両面テープ
４８１  オスボタン
４８２  メスボタン
５      錘部品
５１    側面孔
６      チェーン
７      錘部品
７１    差込条
Ａ      粘着層
【図１】
0003132873.tif 000003
【図２】
0003132873.tif 000004
【図３】
0003132873.tif 000005
【図４】
0003132873.tif 000006
【図５】
0003132873.tif 000007
【図６】
0003132873.tif 000008
【図７】
0003132873.tif 000009
【図８】
0003132873.tif 000010
【図９】
0003132873.tif 000011
【図１０】
0003132873.tif 000012
【図１１】
0003132873.tif 000013
【図１２】
0003132873.tif 000014